(57)【特許請求の範囲】
【請求項１】
冷媒ライン上にて直列接続された多段式の圧縮機によって圧縮された冷媒を用いて冷熱を発生させるブレイトンサイクルにより冷媒を冷却するブレイトンサイクル冷凍機であって、
極低温状態で超電導体を利用した超電導機器を冷却対象として熱負荷を検出する熱負荷検出手段と、
前記圧縮機で圧縮される前の冷媒が流れる低圧ラインと前記圧縮機で圧縮された後の冷媒が流れる高圧ラインとの間に設けられたバッファタンクと、
前記バッファタンクの入口側に設けられることにより、前記バッファタンクへの冷媒流入量を制御可能な第１のバルブと、
前記バッファタンクの出口側に設けられることにより、前記バッファタンクからの冷媒流出量を制御可能な第２のバルブと、
前記第１のバルブ及び前記第２のバルブの開度を制御する制御手段と、
を備え、
前記冷却対象において熱負荷の変動が検出され、熱負荷が増加している場合、前記制御手段は、第１のバルブを閉じた状態で第２のバルブを開くように制御して前記冷凍機の冷却能力を増加するように調整し、
一方、前記熱負荷が減少している場合、前記制御手段は、第２のバルブを閉じた状態で第１のバルブを開くように制御して、前記冷凍機の冷却能力を低下するように調整することを特徴とするブレイトンサイクル冷凍機。
【請求項２】
前記高圧ラインは、最下流側に配置された前記圧縮機から冷媒が排出されるラインであり、
前記低圧ラインは、最上流側に配置された前記圧縮機に冷媒を供給するラインであることを特徴とする請求項１に記載のブレイトンサイクル冷凍機。
【請求項３】
前記圧縮機で圧縮された冷媒と冷却対象を冷却後の冷媒とを熱交換する冷熱回収熱交換器を備え、
前記高圧ラインは前記圧縮機と前記冷熱回収熱交換器との間から分岐されていることを特徴とする請求項２に記載のブレイトンサイクル冷凍機。
【請求項４】
前記ブレイトンサイクルの冷却部は、熱交換器を介して冷却対象を循環する二次冷媒を冷却し、
前記熱負荷検出手段は、前記二次冷媒が流れるライン上に設けられた温度センサであることを特徴とする請求項１から３のいずれか一項に記載のブレイトンサイクル冷凍機。
【請求項５】
前記多段式の圧縮機は、上流側から順に第１の圧縮機、第２の圧縮機及び第３の圧縮機が直列接続されて構成されており、
前記第１の圧縮機及び前記第２の圧縮機は、第１の電動モータの出力軸上に連結されており、
前記第３の圧縮機及び前記膨張機は、第２の電動モータの出力軸上に連結されていることを特徴とする請求項１から４のいずれか一項に記載のブレイトンサイクル冷凍機。
【発明の詳細な説明】
【技術分野】
【０００１】
本発明は、冷却対象における熱負荷変動に対して冷却能力を制御可能なブレイトンサイクル冷凍機の技術分野に関する。
尚、冷凍機に用いられるブレイトンサイクルは、熱機関として用いられるブレイトンサイクルに対して「逆ブレイトンサイクル」と呼ばれるが、本明細書は単に「ブレイトンサイクル」と称することとする（「超電導・低温工学ハンドブック」１９９３オーム社(社団法人低温工学協会編)を参照）。
【背景技術】
【０００２】
圧縮機や膨張機のような回転機を用いる冷凍サイクルの一種として、ブレイトンサイクルを利用した冷凍機が知られている。このような冷凍サイクルでは、例えば特許文献１や特許文献２のように、冷媒が流れる循環経路上に複数段に亘って圧縮機や膨張機を直列配置することによって、冷却能力を向上させるものがある。
【先行技術文献】
【特許文献】
【０００３】
【特許文献１】特開２００３−１４８８２４号公報
【特許文献２】特開平９−３２９０３４号公報
【発明の概要】
【発明が解決しようとする課題】
【０００４】
この種の冷凍機では、冷却対象の熱負荷が変動した場合、圧縮機や膨張機の回転数を制御することによって、冷凍能力を熱負荷に応じで調整することが行われている。しかしながら、冷凍能力を回転数制御によって制御した場合、回転数の変化に伴って、冷媒の流量、圧力比、温度などのような他の制御パラメータにも変動をきたしてしまう。そのため、冷凍能力を熱負荷に対応した所定の目標値に収束させるまでに時間を要してしまう場合があり、良好な応答性を得ることが難しいという問題点がある。
【０００５】
特に上述した特許文献のように多段式の回転機を用いた場合には、個々の圧縮機の回転数を制御しようとすると、それに伴って変動する制御パラメータの数が多くなってしまい、上述の問題点はより一層顕著なものになってしまう。
【０００６】
回転数制御によって冷凍能力の調整を行う場合には、膨張機の膨張比および断熱効率が低下することによって、冷凍機の成績係数（ＣＯＰ）が悪化してしまうという問題もある。本出願人の検証によれば、回転数を約１０％変化させると、ＣＯＰは約３０％低減することが見出されている。
【０００７】
本発明は上述の問題点に鑑みなされたものであり、多段式圧縮機を用いたブレイトンサイクルを利用した冷凍機において、冷却対象の熱負荷変動に対して効率の低下を伴うことなく、良好な応答性を有するブレイトンサイクル冷凍機を提供することを目的とする。
【課題を解決するための手段】
【０００８】
本発明に係るブレイトンサイクル冷凍機は上記課題を解決するために、冷媒ライン上にて直列接続された多段式の圧縮機によって圧縮された冷媒を用いて冷熱を発生させるブレイトンサイクルにより冷媒を冷却するブレイトンサイクル冷凍機であって、
極低温状態で超電導体を利用した超電導機器を冷却対象として熱負荷を検出する熱負荷検出手段と、
前記圧縮機で圧縮される前の冷媒が流れる低圧ラインと前記圧縮機で圧縮された後の冷媒が流れる高圧ラインとの間に設けられたバッファタンクと、
前記バッファタンクの入口側に設けられることにより、前記バッファタンクへの冷媒流入量を制御可能な第１のバルブと、
前記バッファタンクの出口側に設けられることにより、前記バッファタンクからの冷媒流出量を制御可能な第２のバルブと、
前記第１のバルブ及び前記第２のバルブの開度を制御する制御手段と、
を備え、
前記冷却対象において熱負荷の変動が検出され、熱負荷が増加している場合、前記制御手段は、第１のバルブを閉じた状態で第２のバルブを開くように制御して前記冷凍機の冷却能力を増加するように調整し、
一方、前記熱負荷が減少している場合、前記制御手段は、第２のバルブを閉じた状態で第１のバルブを開くように制御して、前記冷凍機の冷却能力を低下するように調整することを特徴とする。
【０００９】
このように本発明によれば、冷却対象において熱負荷の変動が検出された場合に、第１のバルブ及び第２のバルブの開度を調整することにより、ブレイトンサイクルを流れる冷媒流量の制御によって、冷凍能力を調整できる。このような冷媒の流量制御では、冷媒の体積流量を一定にしつつ質量流量を変化させるため、圧力比や温度のような他の制御パラメータの変動を伴わず、熱負荷の変動に対して良好な応答性が得られる。また冷媒の流量制御では、従来の回転数制御で懸念される膨張機の断熱効率の低下を招かないため、成績係数の悪化を回避することができる。
【００１０】
また、バッファタンクは圧力差のある低圧ラインと高圧ラインとの間に設けられているため、高圧ライン上に設けられた第１のバルブを開閉することによって、バッファタンクと高圧ラインとの圧力差に基づいて、バッファタンクへの冷媒の導入を行うことができる。一方、低圧ライン上に設けられた第２のバルブを開閉することによって、バッファタンクと低圧ラインとの圧力差に基づいて、バッファタンクからの冷媒の排出を行うことができる。このように、バッファタンクを用いた流量制御は、外部からの動力供給を必要としないため、エネルギー効率的にも優れている。
【００１１】
本発明の一態様では、前記高圧ラインは、最下流側に配置された前記圧縮機から冷媒が排出されるラインであり、前記低圧ラインは、最上流側に配置された前記圧縮機に冷媒を供給するラインであってもよい。
この態様によれば、高圧ラインと低圧ラインとの間の圧力差を大きく確保できるので、第１のバルブ及び第２のバルブの開閉制御によって、バッファタンクへの冷媒の導入・排出による流量制御を容易に行うことができる。
【００１２】
この場合、前記圧縮機で圧縮された冷媒と冷却対象を冷却後の冷媒とを熱交換する冷熱回収熱交換器を備え、前記高圧ラインは前記圧縮機と前記冷熱回収熱交換器との間から分岐されていてもよい。
この態様によれば、冷熱回収熱交換器において冷却対象を冷却後の冷媒に残った冷熱を用いて、膨張機に供給される高温の冷媒を予冷することで冷凍能力を向上できる。バッファタンクに冷媒を導入して流量制御する場合、冷熱回収熱交換器の上流側から分岐してバッファタンクに冷媒を導入することで、冷熱回収熱交換器に供給される冷媒流量が少なくなるので、冷熱回収熱交換器による冷媒の冷却をより効果的に発揮することができる。
【００１３】
また他の態様では、前記制御手段は、前記熱負荷検出手段により検出された熱負荷の変化率が予め設定された所定値より大きい場合、前記圧縮機及び膨張機の回転数を制御した後に、前記第１のバルブ及び前記第２のバルブの開度を調整してもよい。
この態様によれば、冷却対象において急激な熱負荷変動が生じた場合には、上述のバルブの開度調整による冷媒の流量制御に先じて、圧縮機及び膨張機の回転数を制御することにより、大きな熱負荷変動に対しても良好な応答性が得えられる。
【００１４】
また他の態様では、前記ブレイトンサイクルの冷却部は、熱交換器を介して冷却対象を循環する二次冷媒を冷却し、前記熱負荷検出手段は、前記二次冷媒が流れるライン上に設けられた温度センサであってもよい。
この態様によれば、冷却対象における熱負荷の変動を検出するための熱負荷検出手段を二次冷媒が流れるライン上に設けられた温度センサとすることで、冷却対象における熱負荷の変動を迅速に検出することができるので、応答性に優れたブレイトンサイクル冷凍機を実現できる。
【００１５】
また他の態様では、前記多段式の圧縮機は、上流側から順に第１の圧縮機、第２の圧縮機及び第３の圧縮機が直列接続されて構成されており、前記第１の圧縮機及び前記第２の圧縮機は、第１の電動モータの出力軸上に連結されており、前記第３の圧縮機及び前記膨張機は、第２の電動モータの出力軸上に連結されていてもよい。
この態様によれば、第１から第３の圧縮機をそれぞれ循環経路上に直列に設けることによって多段圧縮が可能に構成されている。特に第１の圧縮機は第２の圧縮機と共に第１の電動モータの出力軸上に連結されることにより、圧縮機毎に動力源を設ける場合に比べて構成をシンプル化できる。第３の圧縮機もまた、膨張機と共に第２の電動モータの出力軸上に連結されることにより構成をシンプル化できることに加えて膨張機で回収した動力が第３の圧縮機の圧縮動力に寄与することによって、効率化を図ることができる。
【発明の効果】
【００１６】
本発明によれば、冷却対象において熱負荷の変動が検出された場合に、第１のバルブ及び第２のバルブの開度を調整することにより、ブレイトンサイクルを流れる冷媒流量の制御によって、冷凍能力を調整できる。このような冷媒の流量制御では、冷媒の体積流量を一定にしつつ質量流量を変化させるため、圧力比や温度のような他の制御パラメータの変動を伴わず、熱負荷の変動に対して良好な応答性が得られる。また冷媒の流量制御では、従来の回転数制御で懸念される膨張機の膨張比および断熱効率の低下を招かないため、成績係数の悪化を回避することができる。
【００１７】
また、バッファタンクは圧力差のある低圧ラインと高圧ラインとの間に設けられているため、高圧ライン上に設けられた第１のバルブを開閉することによって、バッファタンクと高圧ラインとの圧力差に基づいて、バッファタンクへの冷媒の導入を行うことができる。一方、低圧ライン上に設けられた第２のバルブを開閉することによって、バッファタンクと低圧ラインとの圧力差に基づいて、バッファタンクからの冷媒の排出を行うことができる。このように、バッファタンクを用いた流量制御は、外部からの動力供給を必要としないため、エネルギー効率的にも優れている。
【図面の簡単な説明】
【００１８】
【図１】本実施例に係るブレイトンサイクル冷凍機（以下、適宜「冷凍機」と称する）１００の全体構成を概念的に示す模式図である。
【図２】冷凍機が有するブレイトンサイクルのＴ−Ｓ線図である。
【図３】本実施例に係る冷凍機における圧縮機の圧縮比と成績係数比との関係を示すグラフである。
【図４】熱負荷の変動時におけるコントローラの制御内容を示すフローチャートである。
【図５】本実施例に係る冷凍機における圧力センサの検出値と各圧縮機及び膨張機における断熱効率比との関係を示すグラフである。
【図６】本実施例に係る冷凍機における圧力センサの検出値と成績係数との関係を示すグラフである。
【図７】比較例に係る冷凍機における圧力センサの検出値と各圧縮機及び膨張機における断熱効率比との関係を示すグラフである。
【図８】比較例に係る冷凍機における圧力センサの検出値と成績係数との関係を示すグラフである。
【発明を実施するための形態】
【００１９】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２０】
図１は本実施例に係るブレイトンサイクル冷凍機（以下、適宜「冷凍機」と称する）１００の全体構成を概念的に示す模式図である。図２は冷凍機１００が有するブレイトンサイクルのＴ−Ｓ線図であり、縦軸が温度Ｔ［Ｋ］を示し、横軸がエントロピーＳ［ＫＪ／ｋｇＫ］を示している。尚、図２（ｂ）は、図２（ａ）の破線で囲んだ領域を拡大して示したものである。
【００２１】
冷凍機１００では、冷媒が流れる循環経路１０１上に、冷媒を圧縮する圧縮機１０２と、圧縮された冷媒を冷却水と熱交換することにより冷却する熱交換器１０３と、冷却後の冷媒を膨張する膨張機１０４と、冷媒と冷却対象との熱交換を行う熱交換器からなる冷却部１０５と、冷媒の冷熱を回収するための冷熱回収熱交換器１０６が順に設けられており、定常循環流れの冷凍サイクルによる向流型熱交換器方式のブレイトンサイクルが形成されている。
【００２２】
尚、本実施例に係る冷凍機１００では、極低温状態で超電導体を利用した超電導機器（不図示）を冷却対象としている。冷却対象である超電導機器側では、冷却部１０５において冷凍機１００で用いられる冷媒と熱交換される二次冷媒として液体窒素が用いている（図１では、冷却対象のうち冷媒である液体窒素が循環する循環経路１５０のみを示している）。これにより、超電導機器の熱負荷によって昇温された循環経路１５０を流れる液体窒素が、冷凍機１００によって冷却された循環経路１０１を流れる冷媒と熱交換することによって、冷却されるようになっている。
そして、二次冷媒が流れる循環経路１５０上には、冷却対象の熱負荷を検出する熱負荷検出手段である温度センサ１６０が設けられている。
【００２３】
尚、冷凍機１００側の循環経路１０１を流れる冷媒としては、冷却温度などに応じて適宜、ガスの種類を選択してよく、例えばヘリウム、ネオン、水素、窒素、空気、炭化水素などを用いるとよい。
【００２４】
冷凍機１００は、循環経路１０１上に複数の圧縮機１０２ａ、１０２ｂ、１０２ｃと熱交換器１０３ａ、１０３ｂ、１０３ｃを備える。熱交換器１０３ａ、１０３ｂ、１０３ｃは、圧縮機１０２ａ、１０２ｂ、１０２ｃの下流側にそれぞれ設けられ、断熱圧縮によって昇温した冷媒を、冷却水との間で熱交換することにより冷却できるようになっている。
【００２５】
循環経路１０１を流れる冷媒は、まず最上流側にある圧縮機１０２ａによって断熱圧縮されて温度が上昇した後（図２（ｂ）の符号１５１に相当）、下流側に設けられた熱交換器１０３ａにおいて冷却水と熱交換することにより冷却される（図２（ｂ）の符号１５２に相当）。その後、冷媒は再び圧縮機１０２ｂによって断熱圧縮されて温度が上昇した後（図２（ｂ）の符号１５３に相当）、下流側に設けられた熱交換器１０３ｂにおいて冷却水と熱交換することにより冷却される（図２（ｂ）の符号１５４に相当）。そして更に、冷媒は再度、圧縮機１０２ｃによって断熱圧縮されて温度が上昇した後（図２ｂの符号１５５に相当）、下流側に設けられた熱交換器１０３ｃにおいて冷却水と熱交換することにより冷却される（図２（ｂ）の符号１５６に相当）。
【００２６】
このように冷凍機１００では、複数段に亘って圧縮機１０２による断熱圧縮と、熱交換器１０３による冷却とを繰り返すことによって効率向上が図られている。すなわち、断熱圧縮と冷却との繰り返しを複数段に亘って行うことで、ブレイトンサイクルの圧縮工程を理想的な等温圧縮に近づけている。この段数は多い程、等温圧縮に近似することになるが、段数が増えることによる圧縮比の選択、装置構成の複雑化、運用の簡易性などを考慮して段数を決定するとよい。
【００２７】
熱交換器１０３ｃを通った冷媒は、冷熱回収熱交換器１０６によって更に温度が冷却された後（図２（ａ）の符号１５７に相当）、膨張機１０４によって断熱膨張され、冷熱を生成する（図２（ａ）の符号１５８に相当）。
尚、図１の例では、単一の膨張機１０４を有する冷凍機１００を示しているが、圧縮機１０２と同様に、循環経路１０１に対して直列に複数の膨張機が設けられていてもよい。
【００２８】
膨張機１０４から排出された冷媒は、冷却部１０５において、冷却対象である超電導機器内の循環経路１５０を流れる液体窒素と熱交換され、熱負荷によって温度が上昇する（図２（ａ）の符号１５９に相当）。
【００２９】
冷却部１０５で昇温された冷媒は、冷熱回収熱交換器１０６に導入され、上述の熱交換器１０３ｃを通った高温の圧縮冷媒と熱交換することにより、残った冷熱を回収する。これにより、冷却対象を冷却した後に冷媒に残っている冷熱を用いて、膨張機１０４に導入される冷媒の温度を低下させることができるので、冷却効率の向上が図られている。
【００３０】
このように冷凍機１００では、圧縮機１０２や膨張機１０４のような複数の回転機を用いてブレイトンサイクルが構成されている。
上流側の２つの圧縮機１０２ａ及び１０２ｂは、共通の動力源である電動機１０７ａの出力軸１０８ａの両端にそれぞれ連結されることによって、部品填数を削減し、少ない設置スペースに敷設可能に構成されている。下流側の圧縮機１０２ｃ及び膨張機１０４もまた、共通の動力源である電動機１０７ｂの出力軸１０８ｂの両端にそれぞれ連結されることによって部品填数を削減し、少ない設置スペースに敷設可能に構成されているが、これに加えて、膨張機１０４で回収した動力が圧縮機１０２ｃの圧縮動力に寄与することによって、効率化が図られている。
【００３１】
ここで図３は本実施例に係る冷凍機１００における圧縮機１０２の圧縮比と成績係数比（ＣＯＰ比）との関係を示すグラフである。このグラフによれば、圧縮機１０２の圧縮比が約１．４０付近の場合にＣＯＰが最大値を取ることが解析的に示されている。本出願人らの研究によれば、圧縮比を約１．４０と設定するためには、圧縮機の段数を「３」にすると共に、膨張機の段数を「１」に設定することが最適であることが見出された。
【００３２】
再び図１に戻って、ブレイトンサイクルを構成する冷媒ラインである循環経路１０１のうち、圧縮機１０２で圧縮される前の冷媒が流れる低圧ライン１０９と前記圧縮機で圧縮された後の冷媒が流れる高圧ライン１１０との間には、バッファタンク１１１が設けられている。バッファタンク１１１の入口側（高圧ライン１１０側）には、該バッファタンク１１１への冷媒流入量を制御可能な第１のバルブ１１２が設けられてり、バッファタンク１１１の出口側（低圧ライン１０９側）には、該バッファタンク１１１からの冷媒流出量を制御可能な第２のバルブ１１３が設けられている。
【００３３】
第１のバルブ１１２及び第２のバルブ１１３は、本発明に係る制御手段の一例であるコントローラ２００からの制御信号に基づいて開度を調整可能な電動弁であり、ブレイトンサイクルを構成する循環経路１０１とバッファタンク１１１との間で、冷媒の流入出できるように構成されている。
【００３４】
コントローラ２００は冷凍機１００の動作を統括的に制御するコントロールユニットであり、上述の温度センサ１６０の検出値に基づいて、冷凍機１００の各構成要素を制御することによって、冷却対象の熱負荷の変動に応じた冷凍能力の調整を行う。
本実施例では特に、温度センサ１６０を二次冷媒が流れる循環経路１５０上に設けることによって、冷却対象における熱負荷の変動を迅速に検出することができるので、応答性に優れたブレイトンサイクル冷凍機を実現している。
【００３５】
また最上流側に配置されている圧縮機１０２aの入口付近には、各圧縮機１０２にて圧縮される前の冷媒圧力を検出するための圧力センサ１７０が設けられている。圧力センサ１７０の検出値は、循環経路１０１を流れる冷媒流量に対応しており、上述の温度センサ１６０の検出値と同様に、コントローラ２００に送信されて各種制御に利用されるようになっている。
【００３６】
続いて図４を参照して、冷凍機１００におけるコントローラ２００の制御内容について説明する。図４は熱負荷の変動時におけるコントローラ２００の制御内容を示すフローチャートである。
【００３７】
まずコントローラ２００は温度センサ１６０の検出値に基づいて、冷却対象における熱負荷の変動の有無を判断する（ステップＳ１０１）。熱負荷の変動が有る場合（ステップＳ１０１：ＹＥＳ）、コントローラ２００は熱負荷の変化率を算出し、その正負を判断する（ステップＳ１０２）。尚、熱負荷の変動が無い場合は（ステップＳ１０１：ＮＯ）、ステップＳ１０１に戻して処理を繰り返して待機する。
【００３８】
熱負荷の変化率が正である場合（ステップＳ１０２：ＹＥＳ）、すなわち熱負荷が増加している場合、コントローラ２００は第１のバルブ１１２を閉じた状態で第２のバルブ１１３を開くように制御する（ステップＳ１０３）。すると、バッファタンク１１１には、バッファタンク１１１内と低圧ライン１０９との圧力差によって、バッファタンク１１１に貯留された冷媒が低圧ライン１０９に排出され、ブレイトンサイクルを流れる冷媒流量（圧力）が増加する。その結果、冷却対象の熱負荷の増加に応じて、冷凍機１００の冷却能力を増加するように調整する。
【００３９】
一方、熱負荷の変化率が負である場合（ステップＳ１０２：ＮＯ）、すなわち熱負荷が減少している場合、コントローラ２００は第２バルブ１１３を閉じた状態で第１のバルブ１１２を開くように制御する（ステップＳ１０４）。すると、バッファタンク１１１には、高圧ライン１１０とバッファタンク１１１内との圧力差によって、高圧ライン１１０を流れる冷媒の一部が導入され、循環経路１０１を流れる冷媒流量（圧力）が減少する。その結果、冷却対象の熱負荷の減少に応じて、冷凍機１００の冷却能力を低下するように調整する。
【００４０】
尚、第１のバルブ１１２及び第２のバルブ１１３は、このような流量制御の際に開度調整が必要となるので、電動弁を用いることが好ましい。
【００４１】
コントローラ２００による第１のバルブ１１２及び第２のバルブ１１３の開度制御は、例えば循環経路１０１を流れる冷媒流量が温度センサ１６０によって検出された熱負荷の変化率に対応した目標流量になるように制御するとよい。この際の目標流量は、例えば目標流量に対応する各バルブの目標開度と温度センサ１６０の検出値の変化率との関係を、予めマップとしてメモリなどの記憶手段に記憶させておき、温度センサの実測値と照らし合わせて、バルブの開度制御を行うようにするとよい。
【００４２】
ここで図５は本実施例に係る冷凍機１００における圧力センサ１７０の検出値と各圧縮機１０２及び膨張機１０４における断熱効率比との関係を示すグラフであり、図６は圧力センサ１７０の検出値と成績係数（ＣＯＰ）との関係を示すグラフである。尚、図５及び図６では、圧力センサ１７０の検出値が１７０ｋPaを基準として断熱効率比とＣＯＰを計算した結果を示している。
これらのグラフに示されているように、本実施例に係る冷凍機１００では、各圧縮機１０２で圧縮される前の冷媒圧力が変化した場合であっても、断熱効率比と成績係数（ＣＯＰ）とは共に略一定に維持され、変化しないとの結果が得られた。
【００４３】
一方、図７及び図８は、従来のように冷凍能力の調整を圧縮機１０２及び膨張機１０４の回転数制御のみによって行った場合における回転数と断熱効率比及び成績係数（ＣＯＰ）との関係を示すグラフである。すなわち、図７及び図８は従来の回転数制御を行った場合を示す比較例である。尚、図７及び図８では、１００％の回転数を基準として断熱効率比及びＣＯＰを計算した結果を示している。
この場合、図７に示すように、回転数の変動に伴って回転機における断熱効率比も低下しており、特に膨張機１０４においてその傾向が顕著に現れている。また、回転数の変動に伴い、膨張比も低下する。その結果、図８に示すようにＣＯＰが低下しており、冷凍機の冷凍性能が低下してしまっている。
【００４４】
このように本実施例に係る冷凍機１００では、冷却対象において熱負荷の変動が検出された場合に、第１のバルブ１１２及び第２のバルブ１１３の開度を調整することにより、循環経路１０１を流れる冷媒流量を変化させて冷凍能力の制御を行う。このような冷媒の流量制御では冷媒の体積流量を一定にしつつ質量流量を変化させるため、圧力比や温度のような他の制御パラメータの変動を伴わないため、熱負荷の変動に対して迅速な応答性を得ることができる。また冷媒の流量制御では、従来の回転数制御で懸念される膨張機の断熱効率の低下を招かないため、冷凍能力を一定に確保できる。
【００４５】
また、バッファタンク１１１は、圧力差のある低圧ライン１０９と高圧ライン１１０との間に設けられている。そのため、高圧ライン１１０上に設けられた第１のバルブ１１２を開閉することによって、バッファタンク１１１と高圧ライン１１０との圧力差に基づいて、バッファタンク１１１への冷媒の導入を行うことができる。一方、低圧ライン１０９上に設けられた第２のバルブ１１３を開閉することによって、バッファタンク１１１と低圧ライン１０９との圧力差に基づいて、バッファタンク１１１からの冷媒の排出を行うことができる。このように、バッファタンク１１１による流量制御は外部からの動力供給を必要としないため、エネルギー効率にも優れている。
【００４６】
特にバッファタンク１１１は最下流側に配置された圧縮機１０２ｃから冷媒が排出される高圧ライン１１０と、最上流側に配置された圧縮機１０２aに冷媒を供給する低圧ライン１０９との間に設けられることによって圧力差を大きく確保できるようにしているため、第１のバルブ１１２及び第２のバルブ１１３の開閉制御によって、バッファタンク１１１への冷媒の導入・排出を容易に行うことができる。
【００４７】
更に、バッファタンク１１１が接続されている高圧ライン１１０は圧縮機１０２ｃと冷熱回収熱交換器１０６との間から分岐されている。これにより、冷却部１０５において冷却対象を冷却後の冷媒に残った冷熱を用いて、膨張機１０４に供給される高温の冷媒を予冷することで冷凍能力を向上できる。バッファタンク１１１に冷媒を導入して流量制御する場合、冷熱回収熱交換器１０６の上流側から分岐してバッファタンク１１１に冷媒を導入することで、冷却部１０５への冷媒流量が少なくなるので、冷熱回収熱交換器１０６による冷媒の冷却をより効果的に得られる。
【００４８】
再び図１に戻って、本実施例に係る冷凍機１００では、高圧ライン１１０からバッファタンク１１１をバイパスして低圧ライン１０９に接続するバイパスライン１１４が設けられており、該バイパスライン１１４上には第３のバルブ１１５が設けられている。第３のバルブ１１５は、コントローラ２００からの制御信号に基づいて冷凍機１００の始動時に開状態に切り替えられることによって、圧縮機１０２や膨張機１０４を高回転で運転して予冷を行い、スムーズな冷却を可能にする。
尚、このような始動時の高回転運転は、冷凍機１００に用いられる熱交換器等の冷却速度の許容範囲内で行うとよい。
【００４９】
循環経路１０１では、定格運転条件で最も密度が高くなる膨張機１０４の入口付近の流路に最小断面が存在するため、予冷時には膨張機１０４の吸入温度が高くなりやすい（冷媒密度が低くなりやすい）。すると、当該箇所における冷媒流量が少なくなるため、この状態で回転数を上げると、サージング現象を生じることがある。
【００５０】
そこで、本実施例の冷凍機では、サージングが発生する可能性が高まった状態が検出された場合には、第３のバルブ１１５を開くように制御することによって、高圧ライン１１０から低圧ライン１０９に冷媒を逃がして（バッファタンク１１１をバイパスして）冷媒の流量を確保することによって、予冷時における圧縮機１０２のサージングを防止できる。このようなバルブ制御は、例えば、膨張機１０４の入口付近に第２の温度センサ１８０を設け、コントローラ２００にて当該温度センサ１８０の検出値に基づいてサージングの発生可能性が高いと判断された場合に、第３のバルブ１１５を自動的に開制御するとよい。
【００５１】
尚、このように第３のバルブ１１５もまた、コントローラ２００による開度調整が必要となるので、電動弁を用いることが好ましい。
【００５２】
また循環経路１０１のうち圧縮機１０２ｂと圧縮機１０２ｃとの間からバッファタンク１１１に分岐する第２のバイパスライン１１６が設けられており、当該第２のバイパスライン１１６上には第４のバルブ１１７が設けられている。圧縮機１０２や膨張機１０４といった回転機や、当該回転機への動力供給のためのインバータ（不図示）のような制御系に不具合が生じることによっていずれかの圧縮機１０２が停止した場合、ブレイトンサイクルを流れる冷媒流量が減少し、他の圧縮機１０２においてもサージングを招いてしまう可能性がある。このような場合、コントローラ２００によって第４のバルブ１１７を開放制御することで、バッファタンク１１１に冷媒を放出することでサージングを防ぐことができる。このような第４のバルブ１１７の開閉制御は、例えば、コントローラ２００において不図示のセンサによって圧縮機１０２及び膨張機１０４の回転数や、インバータ等の各種制御系の出力をモニタリングすることでサージングの検出を行い、回転数の低下やエラー信号を検知した場合にサージングが生じたと判断して、第４のバルブ１１７を開放するように制御するとよい。
【００５３】
尚、第４のバルブ１１７は、コントローラ２００からの開放指令に対して素早い応答が必要なため電磁弁を用いることが好ましい。また更に、高圧ライン１１０からバッファタンク１１１に電磁弁１１８を設け、コントローラ２００からの制御信号に基づいて開閉することで、何らかの異常が生じた場合に、高圧ライン１１０を流れる冷媒をバッファタンク１１１に逃がせるように構成してもよい。
【００５４】
上述した第１乃至第４のバルブは、例えば冷凍機１００において何らかの異常が発生するなどの緊急事態が生じた場合には、開閉制御することにより循環経路１０１を流れる冷媒をバッファタンク１１１に逃がすようにしてもよい。これにより、循環経路１０１における冷媒圧力の意図しない上昇や、圧縮機１０２におけるサージングを事前に回避できるので、安全性に優れた冷凍機１００を実現できる。この場合、例えば、冷媒の流量や圧力比をセンサによってモニタリングし、各種バルブの開度を制御するとよい。
【００５５】
このようなサージングの回避を回転数制御のみによって行おうとすると、回転数の無段階制御が好ましいとされる。しかしながら、回転数の無段階制御を実施するためには装置構成が複雑になるという問題がある。本実施例の冷凍機１００では、冷媒の流量制御によってサージング回避を達成できるので、装置構成の簡略化を図りつつ、安全性を向上することができる。
【００５６】
尚、バッファタンク１１１は、冷凍機１００を停止した際に、サイクル中の冷媒の体積変化を吸収する用途にも併せて用いてもよい。公知の冷凍機においてもこのような用途のタンクが用いられたものが存在するが、逆に言えば、本発明におけるバッファタンク１１を用いた冷媒流量制御は、このような従来から用いられていたタンクを併用して実現することもできるので、コスト面でも有利である。
【００５７】
また本実施例に係る冷凍機１００では各種バルブの開閉制御で機能できるので、擦動などによる部品劣化が生じにくい。そのため、装置寿命が長く、長期間にわたって耐久性、信頼性、健全性を確保することができる。またバルブの開閉操作は極低温状態においても実施が容易であるため、例えば超電導体機器のように厳しい温度環境下で用いられるシステムにも導入が可能である。
【００５８】
尚、ブレイトンサイクルにおける圧縮工程では断熱圧縮が行われるが、断熱圧縮を等温圧縮に置換した、いわゆるエリクソンサイクルにおいても、本発明を適用してもよい。本実施例では、多段階に亘って圧縮機１０２による圧縮加熱と熱交換器１０３による冷却を繰り返し行っているが、この繰り返し回数を増やすことによって、実質的に等温圧縮を実現できる。そのため、本実施例に係るブレイトンサイクル冷凍機の圧縮段数を増やすことによって実質的にエリクソンサイクル冷凍機とみなせる場合もまた、本発明の範囲に含まれる。
【００５９】
また本実施例ではブレイトンサイクルを利用した冷凍機について説明を行ったが、ブレイトンサイクルを利用したヒートポンプ装置についても、同様に本発明を適用可能である。
【産業上の利用可能性】
【００６０】
本発明は、冷却対象における熱負荷変動に対して冷却能力を制御可能なブレイトンサイクル冷凍機に利用可能である。
【図１】
0005985746.tif 000002
【図２】
0005985746.tif 000003
【図３】
0005985746.tif 000004
【図４】
0005985746.tif 000005
【図５】
0005985746.tif 000006
【図６】
0005985746.tif 000007
【図７】
0005985746.tif 000008
【図８】
0005985746.tif 000009